(57)【要約】      （修正有）【課題】外観がよく且つ着用に便利で、脱落しにくく、皮膚に対してアレルギー現象を発生させない腰用サポーターの提供。【解決手段】帯体及び調整構造を包含し、該帯体がシリコーン樹脂の一体成形方式で長い薄片型に形成され、且つその二端の凹溝内に自動機器で調整構造が接着され、帯体の所定位置に複数の通気孔が設けられ、以上の構造により、腰用サポーターがシリコーン樹脂で形成されて弾性が良好であるのみならず皮膚に対して過敏の現象を発生させないものとされ、且つ、伝統的なミシン縫い方式での調整構造の接合とは異なり、自動機器接着の方式で調整構造を接合することで、ミシン縫いにかかる労働力を減らす。【選択図】図２
0003116040.tif 000002
【実用新案登録請求の範囲】
【請求項１】
帯体と調整構造を包含した腰用サポーターにおいて、該帯体がシリコーン樹脂の一体成形方式で形成された長い薄片型とされ、且つその二端に凹溝が開設され、該帯体の所定位置に複数の通気孔が開設され、更に自動機器で接着剤を運用して調整構造が帯体の二側の凹溝内に固着されたことを特徴とする、腰用サポーター。
【請求項２】
請求項１記載の腰用サポーターにおいて、調整構造が粘着帯で形成され、快速調整及び固定の機能を具備することを特徴とする、腰用サポーター。
【請求項３】
請求項１記載の腰用サポーターにおいて、帯体の形成時にゲルマニウム元素の材料が混入されたことを特徴とする、腰用サポーター。
【考案の詳細な説明】
【技術分野】
【０００１】
本考案は腰用サポーターに係り、特に、帯体と調整構造が自動機器による接着の方式で接合されて一体とされた腰用サポーターであり、伝統的なミシン縫いで調整構造が固定されたものとは異なり、ミシン縫いにかかる労働力を削減し、外観がよく、着用に便利で、脱落しにくい、腰用サポーターに関する。
【背景技術】
【０００２】
学理上から述べると、骨盤は全身の関節組織中で、最も大きく且つ問題を発生しやすい部分である。なぜならその前方は恥骨と連合し、後方は腰椎と接続され、このため、脊椎と下肢の重量の転移を負担しなければならず、及び、下肢から伝わる振動を緩衝しなければならないためである。骨盤上面には筋肉組織がなく、直接それらの滑動を制御でき、骨盤に付着する筋肉は脊椎或いは大腿にも付着し、これらの筋肉の機能は、脊椎と大腿を制御することにあり、このため骨盤関節がすこしずれるだけで、直接脊椎と大腿の筋肉制御に影響を与え、ゆえに多くの腰椎問題、下肢疼痛は問題が腰椎と下肢にあるのではなく、骨盤にある。骨盤のゆがみをもたらす原因には以下のようなものがある。
１．懐妊或いはオーバーウエイト。おなかが大きく成りすぎると、骨盤は前向きに傾き、腰椎が角に前曲する関係により、骨盤後面の靱帯の支持力が弱くなり、骨盤のねじれをもたらす。
２．外力の衝撃。衝撃力が大き過ぎ、緩衝力が不足すると、骨盤上の筋肉が麻痺し、一方の腰骨を引き上げ、骨盤の一方が高く、一方が低くなるゆがみが発生する。
３．悪い習慣。一般の人に最もよく発生する原因であり、長期に同じ姿勢を保持して姿勢を換えることがないと、腰椎と骨盤が一側に向けて過度にねじれやすくなり、また足を組むことも骨盤のねじれの主要な原因となる。
４．運動不足。腹筋力と臀部筋力が不足すると、骨盤を支持する力が大幅に下がり、鼠蹊部にまたがる筋肉の大腿外側の括約筋膜が緊張し、骨盤に対して不当な引っ張り力を形成し、骨盤のゆがみをもたらす。
【０００３】
骨盤の歪みに対して、医師が推薦する自己治療にはいくつかの原則がある。まず、骨盤の調整に対する調整であり、腹部を結束或いは保護することにより骨盤を強化する機能を達成することが検討される。これは運動或いは一般の活動に関わらず、骨盤のゆるみを形成しにくい。次は不良な習慣を止めることである。現在、多くの腹部結束具或いはサポーターが市場に提供されており、図１は弾性材料（弾性布或いはゴム）で形成したロングストリップ状の帯体であり、粘着帯或いは調整スナップ等の調整構造が縫製方式で帯体の二端に固定されている。それは着用に便利な効果を有するものの、帯体表面に縫い目が残り、縫い目の脱落により調整構造が脱落しやすく、且つ排汗効果が良好でないか、或いは自身の材質が使用者に対してアレルギー現象を形成し、改良の必要がある。
【考案の開示】
【考案が解決しようとする課題】
【０００４】
本考案は、一種の腰用サポーターを提供することを目的とし、それは、外観がよく且つ着用に便利で、脱落しにくく、皮膚に対してアレルギー現象を発生させないものとする。
【０００５】
上述の目的を達成するため、本考案の腰用サポーターは、帯体と調整構造を包含し、該帯体がシリコーン樹脂の一体成形方式で長い薄片型に形成され、且つその二端に凹溝が開設され、帯体の所定位置に複数の通気孔が設けられ、該調整構造は粘着帯で形成され、更に自動機器で特殊な接着剤を使用して帯体の二側の凹溝内に固着され、それは強固であるのみならず、速やかな調整と固定の機能を具備するものとされる。
【課題を解決するための手段】
【０００６】
請求項１の考案は、帯体と調整構造を包含した腰用サポーターにおいて、該帯体がシリコーン樹脂の一体成形方式で形成された長い薄片型とされ、且つその二端に凹溝が開設され、該帯体の所定位置に複数の通気孔が開設され、更に自動機器で接着剤を運用して調整構造が帯体の二側の凹溝内に固着されたことを特徴とする、腰用サポーターとしている。
請求項２の考案は、請求項１記載の腰用サポーターにおいて、調整構造が粘着帯で形成され、快速調整及び固定の機能を具備することを特徴とする、腰用サポーターとしている。
請求項３の考案は、請求項１記載の腰用サポーターにおいて、帯体の形成時にゲルマニウム元素の材料が混入されたことを特徴とする、腰用サポーターとしている。
【考案の効果】
【０００７】
本考案はシリコーン樹脂の帯体と調整構造が接着された後、表面には接着後に残る痕跡がなく、外観がよく、且つ調整構造は粘着帯で形成され、その着用、調整に便利である。このほか、シリコーン樹脂の弾性は良好で大部分の整形医学中に適用され、長期の臨床実験によっても、人体はシリコーン樹脂に対して排斥の現象を発生しないため、緊密に皮膚に密着してアレルギー現象を発生せず、且つ本考案は運動時に、熱気及び汗水を排出し、特に通気孔の設計により更に実用性を具備するものとされる。
【考案を実施するための最良の形態】
【０００８】
図２、３に示されるように、本考案の腰用サポーターは、帯体１０と調整構造２０を包含する。
【０００９】
該帯体１０はシリコーン樹脂一体成形で形成されて長い薄片型とされ、且つその二端に凹溝１１があり、該帯体１０の所定位置に複数の通気孔１２が設けられている。
【００１０】
該調整構造２０は、粘着帯で形成され、更に自動機器で接着剤を運用して帯体二側の凹溝１１内に固定され、それは快速調整と固定の機能を具備する。
【００１１】
このほか、本考案の帯体の製造時には、ゲルマニウム元素の材料粉を混入することで、血液循環を促進し、免疫機能を強化し、老化防止と疾病防止の作用を増し、並びに新陳代謝を促進し、熱量消耗を加速する。
【００１２】
着用時には、図４に示されるように、本考案の腰用サポーター１は軽薄で且つ弾性に富み、それは使用者の皮膚２の表面に密着し、これにより、その着用時に直接衣服３内部に着用でき、日常の活動方式に影響を与えない。
【００１３】
総合すると本考案の腰用サポーターは、シリコーン樹脂で製造された帯体に快速調整及び固定可能な調整構造が結合された後に、外観がよく、着用に便利な機能を達成し、その弾性は良好で且つ皮膚に対してアレルギー反応を発生させず、且つ生産過程中の多くに自動機器を使用し、労働力を減らし生産能力を高めることができる。
【図面の簡単な説明】
【００１４】
【図１】周知の立体構造図である。
【図２】本考案の立体分解図である。
【図３】本考案の立体組合せ図である。
【図４】本考案の実施表示図である。
【符号の説明】
【００１５】
１  腰用サポーター                  ２  皮膚
３  衣服                            １０  帯体
１１  凹溝                          １２  通気孔
２０  調整構造
【図１】
0003116040.tif 000003
【図２】
0003116040.tif 000004
【図３】
0003116040.tif 000005
【図４】
0003116040.tif 000006